(57)【要約】【課題】弁の数を低減する温度調整装置及び温度調整装置の制御方法を提供する。【解決手段】内部に部材流路が設けられた被温度調整部材と、第１温度調整媒体の温度を第１温度に制御する第１温度制御部と、第２温度調整媒体の温度を第１温度とは異なる第２温度に制御する第２温度制御部と、部材流路と第１温度制御部とで第１温度調整媒体が流れる第１流路と、部材流路と第２温度制御部とで第２温度調整媒体が流れる第２流路と、部材流路を経由せず、第１温度制御部を第１温度調整媒体が流れる第３流路と、部材流路を経由せず、第２温度制御部を第２温度調整媒体が流れる第４流路と、第１流路と第３流路の分岐部に設けられた第１三方弁と、第２流路と第４流路の分岐部に設けられた第２三方弁と、第１流路と第２流路の分岐部に設けられた第３三方弁と、を備える温度調整装置。【選択図】図１
2020107684.tif 000002
【特許請求の範囲】
【請求項１】
内部に部材流路が設けられた被温度調整部材と、
第１温度調整媒体の温度を第１温度に制御する第１温度制御部と、
第２温度調整媒体の温度を前記第１温度とは異なる第２温度に制御する第２温度制御部と、
前記部材流路と前記第１温度制御部とで前記第１温度調整媒体が流れる第１流路と、
前記部材流路と前記第２温度制御部とで前記第２温度調整媒体が流れる第２流路と、
前記部材流路を経由せず、前記第１温度制御部を前記第１温度調整媒体が流れる第３流路と、
前記部材流路を経由せず、前記第２温度制御部を前記第２温度調整媒体が流れる第４流路と、
前記第１流路と前記第３流路の分岐部に設けられた第１三方弁と、
前記第２流路と前記第４流路の分岐部に設けられた第２三方弁と、
前記第１流路と前記第２流路の分岐部に設けられた第３三方弁と、を備える温度調整装置。
【請求項２】
前記第１三方弁は、前記第１温度制御部から前記部材流路への流路であって、前記第１流路と前記第３流路の分岐部に設けられ、
前記第２三方弁は、前記第２温度制御部から前記部材流路への流路であって、前記第２流路と前記第４流路の分岐部に設けられ、
前記第３三方弁は、前記部材流路の流出側で、前記第１流路と前記第２流路の分岐部に設けられる、
請求項１に記載の温度調整装置。
【請求項３】
前記第１三方弁は、前記部材流路から前記第１温度制御部への流路であって、前記第１流路と前記第３流路の分岐部に設けられ、
前記第２三方弁は、前記部材流路から前記第２温度制御部への流路であって、前記第２流路と前記第４流路の分岐部に設けられ、
前記第３三方弁は、前記部材流路の流入側で、前記第１流路と前記第２流路の分岐部に設けられる、
請求項１に記載の温度調整装置。
【請求項４】
前記被温度調整部材は、
基板を載置する載置台である、
請求項１乃至請求項３のいずれか１項に記載の温度調整装置。
【請求項５】
前記第１三方弁、前記第２三方弁、及び、前記第３三方弁を制御する制御部を有し、
前記制御部は、
前記第１三方弁を切り替える工程と、
前記第１三方弁を切り替える工程の後に、前記第２三方弁及び前記第３三方弁を切り替える工程と、を実行する、
請求項１乃至請求項４のいずれか１項に記載の温度調整装置。
【請求項６】
内部に部材流路が設けられた被温度調整部材と、
第１温度調整媒体の温度を第１温度に制御する第１温度制御部と、
第２温度調整媒体の温度を前記第１温度とは異なる第２温度に制御する第２温度制御部と、
前記部材流路と前記第１温度制御部とで前記第１温度調整媒体が流れる第１流路と、
前記部材流路と前記第２温度制御部とで前記第２温度調整媒体が流れる第２流路と、
前記部材流路を経由せず、前記第１温度制御部を前記第１温度調整媒体が流れる第３流路と、
前記部材流路を経由せず、前記第２温度制御部を前記第２温度調整媒体が流れる第４流路と、を備える温度調整装置の制御方法であって、
前記温度調整装置は、
前記第１流路と前記第３流路の分岐部に設けられた第１三方弁と、
前記第２流路と前記第４流路の分岐部に設けられた第２三方弁と、
前記第１流路と前記第２流路の分岐部に設けられた第３三方弁と、を有し、
前記第１三方弁を切り替える工程と、
前記第１三方弁を切り替える工程の後に、前記第２三方弁及び前記第３三方弁を切り替える工程と、を有する、温度調整装置の制御方法。
【発明の詳細な説明】
【技術分野】
【０００１】
本開示は、温度調整装置及び温度調整装置の制御方法に関する。
【背景技術】
【０００２】
プロセス条件の多様化により、チラーユニットにはブライン等の熱媒体の温度を広範囲かつ高速に変更する技術が求められている。
【０００３】
特許文献１には、多数の切り替え弁を有する再循環システムが開示されている。
【先行技術文献】
【特許文献】
【０００４】
【特許文献１】特表２０１３−５３４７１６号公報
【発明の概要】
【発明が解決しようとする課題】
【０００５】
一の側面では、本開示は、弁の数を低減する温度調整装置及び温度調整装置の制御方法を提供する。
【課題を解決するための手段】
【０００６】
上記課題を解決するために、一の態様によれば、内部に部材流路が設けられた被温度調整部材と、第１温度調整媒体の温度を第１温度に制御する第１温度制御部と、第２温度調整媒体の温度を前記第１温度とは異なる第２温度に制御する第２温度制御部と、前記部材流路と前記第１温度制御部とで前記第１温度調整媒体が流れる第１流路と、前記部材流路と前記第２温度制御部とで前記第２温度調整媒体が流れる第２流路と、前記部材流路を経由せず、前記第１温度制御部を前記第１温度調整媒体が流れる第３流路と、前記部材流路を経由せず、前記第２温度制御部を前記第２温度調整媒体が流れる第４流路と、前記第１流路と前記第３流路の分岐部に設けられた第１三方弁と、前記第２流路と前記第４流路の分岐部に設けられた第２三方弁と、前記第１流路と前記第２流路の分岐部に設けられた第３三方弁と、を備える温度調整装置が提供される。
【発明の効果】
【０００７】
一の側面によれば、弁の数を低減する温度調整装置及び温度調整装置の制御方法を提供することができる。
【図面の簡単な説明】
【０００８】
【図１】第１実施形態に係る温度調整装置の構成図。
【図２】第１実施形態に係る温度調整装置における切替処理を説明するタイムチャート。
【図３】第１参考例に係る温度調整装置の構成図。
【図４】第１参考例に係る温度調整装置における切替処理を説明するタイムチャート。
【図５】第２参考例に係る温度調整装置の構成図。
【図６】第２参考例に係る温度調整装置における切替処理を説明するタイムチャート。
【図７】第２実施形態に係る温度調整装置の構成図。
【図８】第２実施形態に係る温度調整装置における切替処理を説明するタイムチャート。
【図９】第１実施形態に係る温度調整装置の構成図であり、第３の動作モードにおける動作を示す図。
【図１０】第２実施形態に係る温度調整装置の構成図であり、第３の動作モードにおける動作を示す図。
【発明を実施するための形態】
【０００９】
以下、図面を参照して本開示を実施するための形態について説明する。各図面において、同一構成部分には同一符号を付し、重複した説明を省略する場合がある。
【００１０】
第１実施形態に係る温度調整装置Ｓについて、図１を用いて説明する。図１は、第１実施形態に係る温度調整装置Ｓの構成図であり、（ａ）は第１の動作モードにおける動作を示し、（ｂ）は第２の動作モードにおける動作を示す。
【００１１】
第１実施形態に係る温度調整装置Ｓは、処理装置１と、第１のチラー２と、第２のチラー３と、流路４と、流路４に設けられた三方弁５１，５２，５３と、制御装置６と、を備えている。
【００１２】
処理装置１はウェハＷを処理する装置である。ウェハＷには、熱処理やプラズマ処理やＵＶ処理やその他の処理が施される。ウェハＷの処理には、エッチング処理、成膜処理、クリーニング処理、トリートメント処理、アッシング処理等のあらゆる処理が含まれる。
【００１３】
処理装置１は、処理容器１０と、ウェハＷを載置する載置台１１と、を有している。載置台１１は、静電チャック１２と、基台（被温度調整部材）１３と、を有している。静電チャック１２は、基台１３の上に配置されている。静電チャック１２は、電極１２ａと、ヒータ１２ｂと、を有している。電極１２ａに直流電源からの電圧を印加することで、ウェハＷを静電チャック１２上に静電吸着させる。ヒータ１２ｂに交流電源からの電圧を印加することで、ウェハＷを加温することができる。なお、電極１２ａ及びヒータ１２ｂへの通電は、制御装置６によって制御される。基台１３は、支持台１４に支持されている。基台１３の内部には、一端側を流入口１３ａとして他端側を流出口１３ｂとする部材流路１３ｃがリング状又は渦巻き状に形成されている。支持台１４は、処理容器１０の内部で基台１３を支持する。
【００１４】
また、処理装置１は、プラズマ処理装置として構成されていてもよい。基台１３には、整合器（図示せず）を介してプラズマ生成用の高周波電力を印加する高周波電源（図示せず）が接続される。かかる構成により、載置台１１は下部電極としての機能を有する。また、処理容器１０には、処理容器１０内に所望のガスを供給するガス供給源（図示せず）と、処理容器１０内を減圧する真空ポンプ（図示せず）と、が接続される。また、処理容器１０内で、載置台１１の上方には、載置台１１に対向して上部電極として機能するシャワーヘッド（図示せず）が設けられている。上部電極としてのシャワーヘッドと下部電極としての載置台１１との間にプラズマが生成される。
【００１５】
なお、熱媒体は、例えば、冷却水、ブライン等の液体であってもよく、例えば、冷媒ガス等の気体であってもよい。
【００１６】
第１のチラー２は、熱媒体の温度を第１温度に調整する。第１のチラー２は、熱媒体の温度を調整する温度調整部（不図示）と、熱媒体を貯溜するタンク（不図示）と、熱媒体を吐出するポンプ２１と、を有している。第１のチラー２に流入した熱媒体は、熱交換器等の温度調整部で第１温度に調整され、タンクに貯留される。ポンプ２１は、第１温度に調整された熱媒体を吐出する。なお、第１のチラー２から吐出される第１温度に調整された熱媒体を第１温度調整媒体とも称する。第１のチラー２は、第１温度調整媒体の温度を第１温度に制御する第１温度制御部の一例である。
【００１７】
第２のチラー３は、熱媒体の温度を第１温度と異なる第２温度に調整する。第２のチラー３は、熱媒体の温度を調整する温度調整部（不図示）と、熱媒体を貯溜するタンク（不図示）と、熱媒体を吐出するポンプ３１と、を有している。第２のチラー３に流入した熱媒体は、熱交換器等の温度調整部で第２温度に調整され、タンクに貯留される。ポンプ３１は、第２温度に調整された熱媒体を吐出する。なお、第２のチラー３から吐出される第２温度に調整された熱媒体を第２温度調整媒体とも称する。第２のチラー３は、第２温度調整媒体の温度を第１温度とは異なる第２温度に制御する第２温度制御部の一例である。
【００１８】
なお、第１のチラー２のタンクと、第２のチラー３のタンクとの間には、熱媒体の量を調整する調整機構（不図示）を有していてもよい。例えば、調整機構は、一方のタンクの貯溜量が所定量を超えると、一方のタンクから他方のタンクに熱媒体を流入させることができる。
【００１９】
流路４は、載置台１１の部材流路１３ｃ、第１のチラー２、第２のチラー３を接続し、熱媒体が通流可能に構成されている。流路４は、第１流路４１と、第２流路４２と、第３流路４３と、第４流路４４と、を有する。なお、流路４に含まれる各流路４１、４２、４３、４４は、配管により形成される。
【００２０】
第１流路４１は、部材流路１３ｃと第１のチラー２との間で熱媒体を通流させる流路である。第１流路４１は、第１のチラー２の吐出側から部材流路１３ｃの流入口１３ａへ接続する流路４ａ１、分岐部４ｂ１、流路４ｃ１、分岐部４ｄ、流路４ｅと、部材流路１３ｃの流出口１３ｂから第１のチラー２の流入側へ接続する流路４ｆ、分岐部４ｇ、流路４ｈ１、分岐部４ｉ１、流路４ｊ１と、を含んでいる。
【００２１】
第２流路４２は、部材流路１３ｃと第２のチラー３との間で熱媒体を通流させる流路である。第２流路４２は、第２のチラー３の吐出側から部材流路１３ｃの流入口１３ａへ接続する流路４ａ２、分岐部４ｂ２、流路４ｃ２、分岐部４ｄ、流路４ｅと、部材流路１３ｃの流出口１３ｂから第２のチラー３の流入側へ接続する流路４ｆ、分岐部４ｇ、流路４ｈ２、分岐部４ｉ２、流路４ｊ２と、を含んでいる。
【００２２】
第３流路４３は、部材流路１３ｃを経由せずに第１のチラー２との間で熱媒体を循環させる流路である。第３流路４３は、第１のチラー２の吐出側から第１のチラー２の流入側へ接続する流路４ａ１、分岐部４ｂ１、流路４ｋ１、分岐部４ｉ１、流路４ｊ１を含んでいる。
【００２３】
第４流路４４は、部材流路１３ｃを経由せずに第２のチラー３との間で熱媒体を循環させる流路である。第４流路４４は、第２のチラー３の吐出側から第２のチラー３の流入側へ接続する流路４ａ２、分岐部４ｂ２、流路４ｋ２、分岐部４ｉ２、流路４ｊ２を含んでいる。
【００２４】
三方弁５１は、１つの流入ポートと２つの流出ポートを有する。三方弁５１は、一方の流出ポートの開度が増えると、他方の流出ポートの開度が減るように構成される。三方弁５２，５３も同様の構成を有している。
【００２５】
三方弁５１は、分岐部４ｂ１に設けられている。即ち、三方弁５１の流入ポートは流路４ａ１と接続され、一方の第１流出ポートは流路４ｃ１と接続され、他方の第２流出ポートは流路４ｋ１と接続される。これにより、三方弁５１は、第１温度調整媒体を第１流路４１に流入させるか、第３流路４３に流入させるか、を切り替えることができる。
【００２６】
三方弁５２は、分岐部４ｂ２に設けられている。即ち、三方弁５２の流入ポートは流路４ａ２と接続され、一方の第１流出ポートは流路４ｃ２と接続され、他方の第２流出ポートは流路４ｋ２と接続される。これにより、三方弁５２は、第２温度調整媒体を第２流路４２に流入させるか、第４流路４４に流入させるか、を切り替えることができる。
【００２７】
三方弁５３は、分岐部４ｇに設けられている。即ち、三方弁５３の流入ポートは流路４ｆと接続され、一方の第１流出ポートは流路４ｈ１と接続され、他方の第２流出ポートは流路４ｈ２と接続される。これにより、三方弁５３は、部材流路１３ｃの流出口１３ｂから流出した熱媒体を第１流路４１に流入させるか、第２流路４２に流入させるか、を切り替えることができる。
【００２８】
制御装置６は、三方弁５１〜５３の切り替えを制御することにより、温度調整装置Ｓのモードを切り替える。
【００２９】
図１（ａ）に示すように、第１の動作モードにおいて、三方弁５１を第１流出ポート側が開くように切り替え、三方弁５２を第２流出ポート側が開くように切り替え、三方弁５３を第１流出ポート側が開くように切り替える。これにより、第１流路４１が形成され、第１温度調整媒体は部材流路１３ｃに供給される。また、第４流路４４が形成され、第２温度調整媒体は第２のチラー３と第４流路４４の間で循環する。
【００３０】
図１（ｂ）に示すように、第２の動作モードにおいて、三方弁５１を第２流出ポート側が開くように切り替え、三方弁５２を第１流出ポート側が開くように切り替え、三方弁５３を第２流出ポート側が開くように切り替える。これにより、第２流路４２が形成され、第２温度調整媒体は部材流路１３ｃに供給される。また、第３流路４３が形成され、第１温度調整媒体は第１のチラー２と第３流路４３の間で循環する。
【００３１】
このように、第１実施形態に係る温度調整装置Ｓによれば、三方弁５１〜５３の切り替えによって、部材流路１３ｃに供給される熱媒体の温度を切り替えることができる。
【００３２】
次に、図２を用いて、第１実施形態に係る温度調整装置Ｓにおける切替処理について説明する。図２は、第１実施形態に係る温度調整装置Ｓにおける切替処理を説明するタイムチャートである。
【００３３】
ここでは、部材流路１３ｃに第１温度調整媒体が供給されている状態（図１（ａ）参照）から、第２温度調整媒体が供給されている状態（図１（ｂ）参照）へと切り替える場合を例に説明する。
【００３４】
切替指示を受けると、ステップＳ１において、制御装置６は、三方弁５１を第１流路４１の側（Main）から、第３流路４３の側（Cycle）へと切り替える。
【００３５】
ステップＳ２において、制御装置６は、三方弁５２を第４流路４４の側（Cycle）から第２流路４２の側（Main）へと切り替える。また、制御装置６は、三方弁５３を第１流路４１の側（SideA）から第２流路４２の側（SideB）へと切り替える。
【００３６】
ここで、ステップＳ１において三方弁５１が動作しなかった場合、ポンプ２１を通る流路は第１流路４１のままとなっており、ポンプ２１の流路が閉塞することを防止することができる。
【００３７】
また、ステップＳ２において三方弁５２が動作しなかった場合、ポンプ３１を通る流路は第４流路４４のままとなっており、ポンプ３１の流路が閉塞することを防止することができる。また、三方弁５２は動作したが三方弁５３が動作しなかった場合、ポンプ３１かた吐出された第２温度調整媒体は、流路４ａ２、分岐部４ｂ２、流路４ｃ２、分岐部４ｄ、流路４ｅ、部材流路１３ｃ、流路４ｆ、分岐部４ｇ、流路４ｈ１、分岐部４ｉ１、流路４ｊ１を通って第１のチラー２のタンク（不図示）へと流れる。これにより、ポンプ３１の流路が閉塞することを防止することができる。なお、第１のチラー２のタンクへ流入した熱媒体は、調整機構（不図示）を介して第２のチラー３のタンク（不図示）へと戻されてもよい。
【００３８】
このように、第１実施形態に係る温度調整装置Ｓでは２ステップの処理で、ポンプ２１，３１の流路が閉塞することによるウォーターハンマーの発生を防止することができる。
【００３９】
ここで、参考例に係る温度調整装置Ｓについて、図３から図６を用いて説明する。
【００４０】
図３は、第１参考例に係る温度調整装置Ｓの構成図であり、（ａ）は第１の動作モードにおける動作を示し、（ｂ）は第２の動作モードにおける動作を示す。
【００４１】
第１参考例に係る温度調整装置Ｓは、第１実施形態に係る温度調整装置Ｓと比較して、三方弁５１，５２，５３に代えて、開閉弁１５１，１５２、三方弁１５３、１５４を備える点で異なっている。その他の構成は同様であり、重複する説明は省略する。
【００４２】
開閉弁１５１は、流路４ｋ１に設けられている。開閉弁１５２は、流路４ｋ２に設けられている。三方弁１５３は、分岐部４ｄに設けられている。即ち、三方弁１５３の一方の第１流入ポートは流路４ｃ１と接続され、他方の第２流入ポートは流路４ｃ２と接続され、流出ポートは流路４ｅと接続される。三方弁１５４は、分岐部４ｇに設けられている。即ち、三方弁５３の流入ポートは流路４ｆと接続され、一方の第１流出ポートは流路４ｈ１と接続され、他方の第２流出ポートは流路４ｈ１と接続される。
【００４３】
図４は、第１参考例に係る温度調整装置Ｓにおける切替処理を説明するタイムチャートである。
【００４４】
切替指示を受けると、ステップＳ１において、制御装置６は、開閉弁１５１を閉弁（Close）から開弁（Open）に切り替える。
【００４５】
ステップＳ２において、制御装置６は、三方弁１５３を三方弁５３を第１流路４１の側（SideA）から第２流路４２の側（SideB）へと切り替える。また、制御装置６は、三方弁１５４を第１流路４１の側（SideA）から第２流路４２の側（SideB）へと切り替える。
【００４６】
ステップＳ３において、制御装置６は、開閉弁１５２を開弁（Open）から閉弁（Close）に切り替える。
【００４７】
このように、ポンプ２１，３１の流路が閉塞することによるウォーターハンマーの発生を防止するように切替処理を行った場合、第１参考例に係る温度調整装置Ｓでは３ステップの処理が必要となる。
【００４８】
図５は、第２参考例に係る温度調整装置Ｓの構成図であり、（ａ）は第１の動作モードにおける動作を示し、（ｂ）は第２の動作モードにおける動作を示す。
【００４９】
第２参考例に係る温度調整装置Ｓは、第１実施形態に係る温度調整装置Ｓと比較して、三方弁５１，５２，５３に代えて、開閉弁２５１〜２５６を備える点で異なっている。その他の構成は同様であり、重複する説明は省略する。
【００５０】
開閉弁２５１は、流路４ｋ１に設けられている。開閉弁２５２は、流路４ｋ２に設けられている。開閉弁２５３は、流路４ｃ１に設けられている。開閉弁２５４は、流路４ｃ２に設けられている。開閉弁２５５は、流路４ｈ１に設けられている。開閉弁２５６は、流路４ｈ２に設けられている。
【００５１】
図６は、第２参考例に係る温度調整装置Ｓにおける切替処理を説明するタイムチャートである。
【００５２】
切替指示を受けると、ステップＳ１において、制御装置６は、開閉弁２５１を閉弁（Close）から開弁（Open）に切り替える。
【００５３】
ステップＳ２において、制御装置６は、開閉弁２５３を開弁（Open）から閉弁（Close）に切り替える。また、制御装置６は、開閉弁２５６を閉弁（Close）から開弁（Open）に切り替える。
【００５４】
ステップＳ３において、制御装置６は、開閉弁２５５を開弁（Open）から閉弁（Close）に切り替える。また、制御装置６は、開閉弁２５４を閉弁（Close）から開弁（Open）に切り替える。
【００５５】
ステップＳ４において、制御装置６は、開閉弁２５２を開弁（Open）から閉弁（Close）に切り替える。
【００５６】
このように、ポンプ２１，３１の流路が閉塞することによるウォーターハンマーの発生を防止するように切替処理を行った場合、第２参考例に係る温度調整装置Ｓでは４ステップの処理が必要となる。
【００５７】
以上、第１実施形態に係る温度調整装置Ｓは、第１〜２参考例に係る温度調整装置Ｓと比較して、制御する弁（三方弁、開閉弁）の数を少なくすることができる。また、流路閉塞が発生しないように弁を切り替える際のステップ数を少なくすることができる。即ち、部材流路１３ｃに供給される熱媒体の温度の切り替えを速くすることができる。
【００５８】
次に、第２実施形態に係る温度調整装置Ｓについて、図７を用いて説明する。図７は、第２実施形態に係る温度調整装置Ｓの構成図であり、（ａ）は第１の動作モードにおける動作を示し、（ｂ）は第２の動作モードにおける動作を示す。
【００５９】
第２実施形態に係る温度調整装置Ｓは、処理装置１と、第１のチラー２と、第２のチラー３と、流路４と、流路４に設けられた三方弁５４，５５，５６と、制御装置６と、を備えている。
【００６０】
第２実施形態に係る温度調整装置Ｓは、第１実施形態に係る温度調整装置Ｓと比較して、三方弁５１，５２，５３に代えて、三方弁５４，５５，５６を備える点で異なっている。その他の構成は同様であり、重複する説明は省略する。
【００６１】
三方弁５４は、２つの流入ポートと１つの流出ポートを有する。三方弁５４は、一方の流入ポートの開度が増えると、他方の流入ポートの開度が減るように構成される。三方弁５５，５６も同様の構成を有している。
【００６２】
三方弁５４は、分岐部４ｉ１に設けられている。即ち、三方弁５４の一方の第１流入ポートは流路４ｈ１と接続され、他方の第２流入ポートは流路４ｋ１と接続され、流出ポートは流路４ｊ１と接続される。これにより、三方弁５４は、第１温度調整媒体を第１流路４１に流入させるか、第３流路４３に流入させるか、を切り替えることができる。
【００６３】
三方弁５５は、分岐部４ｉ２に設けられている。即ち、三方弁５５の一方の第１流入ポートは流路４ｈ２と接続され、他方の第２流入ポートは流路４ｋ２と接続され、流出ポートは流路４ｊ２と接続される。これにより、三方弁５５は、第２温度調整媒体を第２流路４２に流入させるか、第４流路４４に流入させるか、を切り替えることができる。
【００６４】
三方弁５６は、分岐部４ｄに設けられている。即ち、三方弁５６の一方の第１流入ポートは流路４ｃ１と接続され、他方の第２流入ポートは流路４ｃ２と接続され、流出ポートは流路４ｅと接続される。これにより、三方弁５６は、第１流路４１の第１温度調整媒体を部材流路１３ｃに流入させるか、第２流路４２の第２温度調整媒体を部材流路１３ｃに流入させるか、を切り替えることができる。
【００６５】
次に、図８を用いて、第２実施形態に係る温度調整装置Ｓにおける切替処理について説明する。図８は、第２実施形態に係る温度調整装置Ｓにおける切替処理を説明するタイムチャートである。
【００６６】
ここでは、部材流路１３ｃに第１温度調整媒体が供給されている状態（図１（ａ）参照）から、第２温度調整媒体が供給されている状態（図１（ｂ）参照）へと切り替える場合を例に説明する。
【００６７】
切替指示を受けると、ステップＳ１において、制御装置６は、三方弁５４を第１流路４１の側（Main）から、第３流路４３の側（Cycle）へと切り替える。
【００６８】
ステップＳ２において、制御装置６は、三方弁５５を第４流路４４の側（Cycle）から第２流路４２の側（Main）へと切り替える。また、制御装置６は、三方弁５６を第１流路４１の側（SideA）から第２流路４２の側（SideB）へと切り替える。
【００６９】
このように、第２実施形態に係る温度調整装置Ｓでは２ステップの処理で、ポンプ２１，３１の流路が閉塞することによるウォーターハンマーの発生を防止することができる。
【００７０】
以上、第２実施形態に係る温度調整装置Ｓは、第１〜２参考例に係温度調整装置Ｓと比較して、制御する弁（三方弁、開閉弁）の数を少なくすることができる。また、流路閉塞が発生しないように弁を切り替える際のステップ数を少なくすることができる。即ち、部材流路１３ｃに供給される熱媒体の温度の切り替えを速くすることができる。
【００７１】
以上、本開示の好ましい実施形態について詳説した。しかしながら、本開示は、上述した実施形態に制限されることはない。上述した実施形態は、本開示の範囲を逸脱することなしに、種々の変形、置換等が適用され得る。また、別々に説明された特徴は、技術的な矛盾が生じない限り、組み合わせが可能である。
【００７２】
図９は、第１実施形態に係る温度調整装置Ｓの構成図であり、第３の動作モードにおける動作を示す。
【００７３】
図９に示すように、第１実施形態に係る温度調整装置Ｓは、三方弁５１，５２，５３の開度を調整して、第１温度調整媒体の一部を第１流路４１に通流させ、第１温度調整媒体の残部を第３流路４３で循環させ、第２温度調整媒体の一部を第２流路４２に通流させ、第２温度調整媒体の残部を第４流路４４で循環させるようにしてもよい。これにより、部材流路１３ｃに供給される熱媒体の温度を調整することができる。
【００７４】
図１０は、第２実施形態に係る温度調整装置Ｓの構成図であり、第３の動作モードにおける動作を示す。
【００７５】
同様に、図１０に示すように、第２実施形態に係る温度調整装置Ｓは、三方弁５４，５５，５６の開度を調整して、第１温度調整媒体の一部を第１流路４１に通流させ、第１温度調整媒体の残部を第３流路４３で循環させ、第２温度調整媒体の一部を第２流路４２に通流させ、第２温度調整媒体の残部を第４流路４４で循環させるようにしてもよい。これにより、部材流路１３ｃに供給される熱媒体の温度を調整することができる。
【００７６】
本開示の処理装置１は、Capacitively Coupled Plasma(CCP)、Inductively Coupled Plasma(ICP)、Radial Line Slot Antenna(RLSA)、Electron Cyclotron Resonance Plasma(ECR)、Helicon Wave Plasma(HWP)のどのタイプの基板処理装置にもでも適用可能である。
【符号の説明】
【００７７】
Ｓ          温度調整装置
１          処理装置
２          第１のチラー（第１温度制御部）
３          第２のチラー（第２温度制御部）
２１        ポンプ
３１        ポンプ
４          流路
４ｂ１，４ｂ２，４ｄ，４ｇ，４ｉ１，４ｉ２  分岐部
６          制御装置（制御部）
Ｗ          ウェハ
１３        基台（被温度調整部材）
１３ａ      流入口
１３ｂ      流出口
１３ｃ      部材流路
４１        第１流路
４２        第２流路
４３        第３流路
４４        第４流路
５１        三方弁（第１三方弁）
５２        三方弁（第２三方弁）
５３        三方弁（第３三方弁）
５４        三方弁（第１三方弁）
５５        三方弁（第２三方弁）
５６        三方弁（第３三方弁）
【図１】
2020107684.tif 000003
【図２】
2020107684.tif 000004
【図３】
2020107684.tif 000005
【図４】
2020107684.tif 000006
【図５】
2020107684.tif 000007
【図６】
2020107684.tif 000008
【図７】
2020107684.tif 000009
【図８】
2020107684.tif 000010
【図９】
2020107684.tif 000011
【図１０】
2020107684.tif 000012